(57)【特許請求の範囲】
【請求項１】
排水口内の口芯に配設した案内部に、栓蓋から垂設する内部中空な昇降体を上下動可能に支承し、昇降体の下端から同昇降体の内部に支軸を挿入し、槽部内に設けられた操作部にレリースの一端を連結し他端を栓蓋に連結して、操作部の押動操作によるインナーワイヤの前進で、同インナーワイヤ先端を支軸に突き当て尚且つ昇降体と共に栓蓋を上昇させて排水口を開口する排水栓装置において、前記レリースは、アウターチューブを側部から栓蓋内に導入し同栓蓋内で下向き湾曲状に曲折させて同チューブの前記他端を栓蓋の底部分に連結して、インナーワイヤを昇降体内に案内することを特徴とする排水栓装置。
【請求項２】
前記レリースを、金属材からなるコイル状のインナーワイヤと、そのインナーワイヤを摺動可能に案内する四フッ化エチレン樹脂からなるアウターチューブとで構成していることを特徴とする請求項１記載の排水栓装置。
【請求項３】
前記レリースは、栓蓋の中央側に向けた上向き傾斜状をもって導入保持され、また外部に臨むその導入口をレリース直径よりも若干大径にしていることを特徴とする請求項２記載の排水栓装置。
【発明の詳細な説明】
【０００１】
【発明の属する技術分野】
本発明は、浴槽、洗面器等に使用され、操作部を押動する度に排水口を開口・閉口する排水栓装置に関するものである。
【０００２】
【従来の技術】
従来、排水栓装置には、特開平９−３２４４５１号や特開平１１−１０７３４２号公報に開示する技術が存在する。
この先行技術は、図１０に示すように排水口１１内の口芯に配設した有底筒状の案内部３に、栓蓋４から垂設する内部中空なメカボックス５５を抜差し可能に嵌入し、そのメカボックス５５の下端から同メカボックス５５の内部に支軸１４を挿入し、槽部１内に操作部６を設け、その操作部６に一端を連結したレリースＳを邪魔にならないように槽部１の内面に沿って配線してそのアウターチューブｓ３の他端を栓蓋４の側部に連結すると共にインナーワイヤｓ４を、同栓蓋４を貫通してメカボックス５５内に位置させた構成にしてある。
この先行技術は、操作部６を押動操作すると、インナーワイヤｓ４の前進で、先端が支軸１４上端に突当たり、更なるインナーワイヤｓ４の前進でメカボックス５５と共に栓蓋４を持上げて排水口１１を開口（開栓）してメカボックス５５内に装設されているスラストロック機構７をロックし、次ぎの操作部６の押動操作でそのスラストロック機構７のロックを解除して排水口１１を閉口（閉栓）する。
【０００３】
この先行技術は、槽部１内に配線するレリースＳの押動操作で排水口１１を開閉可能であることから、浴槽や洗面器の外側で配線する遠隔操作型の排水栓装置のように配線作業の面倒さ、外側配線に付随する漏れ防止等を考慮する部品点数の増大でのコスト高を防止することができる。
しかしながら、レリースＳは、そのアウターチューブｓ３を栓蓋４の側部に連結し、インナーワイヤｓ４のみを栓蓋４に開孔した屈曲部４４ａを有する導入孔４４内で弾性的に曲折させた態様をもってその栓蓋４を貫通してメカボックス５５内に引込んでいる構成としていることから、合成樹脂製の栓蓋４とインナーワイヤｓ４の導入孔４４、特にその屈曲部４４ａでの接触摩擦抵抗が非常に大きくなり、操作部６の押動操作に大きな力が必要となって使用勝手を悪くなる問題があった。
【０００４】
【発明が解決しようとする課題】
本発明は上記従来事情に鑑みてなされたもので、その目的とする処は、栓蓋の開閉動作をスムース且つ長期に亘って安定して行なうことができる遠隔操作式の排水栓装置を提供することである。
【０００５】
【課題を解決するための手段】
上記目的を解決するために講じた技術的手段は、排水口内の口芯に配設した案内部に、栓蓋から垂設する内部中空な昇降体を上下動可能に支承し、昇降体の下端から同昇降体の内部に支軸を挿入し、槽部内に設けられた操作部にレリースの一端を連結し他端を栓蓋に連結して、操作部の押動操作によるインナーワイヤの前進で、同インナーワイヤ先端を支軸に突き当て尚且つ昇降体と共に栓蓋を上昇させて排水口を開口する排水栓装置において、前記レリースは、アウターチューブを側部から栓蓋内に導入し同栓蓋内で下向き湾曲状に曲折させて同チューブの前記他端を栓蓋の底部分に連結して、インナーワイヤを昇降体内に案内することを要旨とする。
また、前記するインナーワイヤは、ステンレス等の金属材をコイル状にしたもの、アウターチューブは、四フッ化エチレン樹脂製が好適である。
そして、前記係止手段は、支軸を人為的に抜差し可能とする程度の力で係止させたり、数十キロの荷重が作用した時に初めてその係止が解除させる等、その係止強度は採用する構成で自由に設計可能である。
【０００６】
この構成によれば、インナーワイヤの栓蓋との摺接関係を皆無にして、摩擦抵抗に起因する押動操作力を小さなものに抑制する。
また、金属材からなるコイル状のインナーワイヤは、単芯線や、撚線からなるコア（インナーワイヤ）に比して、操作部の押動操作に対して十分な耐久性を持ち、また所定の弾性を有することから、曲がりにも対応可能な可撓性を有する。また、四フッ化エチレン樹脂（フッ素樹脂）で形成されたアウターチューブは、引張力に対する耐久性と共に耐熱性に優れ、インナーワイヤの摺動に伴う伸びが殆どなく、インナーワイヤの摺動ストロークにばらつきが生じる虞れがない。更に摩擦抵抗が低いことから、小さな曲率で湾曲させてもインナーワイヤの摺動性を阻害することがなく、摺動個所で内周面が削られてもフッ素樹脂粒子が潤滑材の役目を果たし、インナーワイヤの円滑な摺動を長期に亘って維持する。それ故、栓蓋内で下向き湾曲状に曲折させたものであっても、アウターチューブは、インナーワイヤの一定且つ円滑な摺動性能を長期に亘って維持する。
【０００７】
更に、レリースは、栓蓋の中央側に向けた上向き傾斜状をもって導入保持され、また外部に臨むその導入口をレリース直径よりも若干大径にしていると、好適である。
【０００８】
この構成では、上向き傾斜状の導入保持によって、槽部に沿うように配線されるレリースの方向変換部（符号Ｓ’）を図２に示すように外端の導入口よりも下位に位置させて、その方向変換部（符号Ｓ’）に生じる弾性力を、栓蓋を排水口に密着する方向に押動させる下向きな押圧力として有効利用させ、また導入口のクリアランスが、取扱い時、使用時のレリースと導入口縁との間に発生する接触抵抗を弱めて切損を未然に防止する。
【０００９】
【発明の実施の形態】
以下、本発明の実施の形態を図面に基づいて説明する。
図１乃至図７は、本発明排水栓装置の第１の実施の形態を、図８は、同第２の実施の形態を、図９は、同第３の実施の形態を、各々示している。まず、第１の実施の形態を説明すると、符号Ａは排水栓装置である。
【００１０】
この排水栓装置Ａは、槽部１の底の開口に取付られて排水口１１を構成する排水口取付部材（排水口金具）２と、排水口１１内の口芯に配設した案内部３と、栓蓋４と、その栓蓋４から垂設する内部中空状の昇降体５と、昇降体５の下端から挿通される支軸１４と、槽部１内面に着脱可能に設けられる操作部６と、その操作部６と前記する栓蓋４に亘って設けられるレリースＳと、前記する昇降体５内に設けられるスラストロック機構７等とから構成されている。
【００１１】
昇降体５は、上端に栓蓋４を一体的に固定した内部中空とする筒体であり、その下端のガイド口５’から支軸１４が上下動可能に挿入されている。
【００１２】
案内部３は、前記排水口取付部材（排水口金具）２に平面視十字状や平面視２又状の支持ブラケット２１を介して一体に成形された有底筒体であり、内径を、前記昇降体５を上下案内可能とすべくその昇降体５よりも僅かながら大径に形成されている。
また、この排水口取付部材（排水口金具）２は支持ブラケット２１間を排水空間Ｚとしている。
【００１３】
スラストロック機構７は、図２、図４乃至図７に示すように支軸１４の上端部に回転可能に備えられた回転リング１７と、昇降体５の側壁１５に設けられた係止歯１５１と、昇降体５の底部に設けられた固定歯１５２と、支軸１４を押し上げる方向に付勢するスプリング２７とを備えている。
回転リング１７は、図４に示すように支軸１４に設けられた上下鍔部１４１、１４２間に抜止不能に嵌挿され、外側上下両面に、係止歯１５１と固定歯１５２とに係合する４個の係合歯部１７１…を相互に９０度の間隔で設けて形成されている。
上記係合歯部１７１…は、上端部と下端部を傾斜面とする略横向き台形状に形成され、上端部が後述する係止歯１５１の鋸状歯部１５１ａに係合し、下端部が後述する固定歯１５２の鋸状歯部１５２ａに係合するようになっている。
固定歯１５２と係止歯１５１とは、互いに前述した鋸状歯部１５２ａ、１５１ａが向かい合うように対向配置されている。
固定歯１５２は、昇降体５における底部、詳細には、昇降体の下開放部を閉塞するキャップ２５に前述した鋸状歯部１５２ａを形成することで構成されている。
係止歯１５１は、昇降体５の側壁１５に、互いに９０度の間隔を空けて４個形成されており、この４個の係止歯１５１…の下端に夫々前述した鋸状歯部１５１ａが形成されている。
前記昇降体５における前記４個の係止歯１５１…相互の間には、前記回転リング１７における上側の係合歯部１７１が案内される溝部３５が刻設されている。
スプリング２５は、前記底部と、回転リング１７を抜止不能とする前記下側の鍔部（図示せず）との間に圧縮状に介在させてある。
【００１４】
レリースＳは、四フッ化エチレン樹脂材（フッ素樹脂）で成形した可撓性を有するアウターチューブｓ１と、そのアウターチューブｓ１内に摺動可能に挿入される金属材（例えばステンレス）からなるコイル状のインナーワイヤｓ２とで構成されている。
【００１５】
操作部６は、槽部１の内面に相対する面部と上面部とを共に開放したレリースレリースガイド本体１６の下端にレリースＳにおけるアウターチューブｓ１の上端を連結してインナーワイヤｓ２をレリースガイド本体１６内部に挿入し、そのレリースガイド本体１６上面開放部を、そのレリースガイド本体１６に沿って上下動する押しボタン２６で閉口し、その押しボタン２６に上端を固定した操作軸３６の下端にインナーワイヤｓ２を連結し、レリースガイド本体１６における槽部１に相対する面部に裏蓋４６を係着し、その裏蓋４６裏面の両面テープや吸盤等の固定手段５６で槽部１の内面所望位置に取付けられている。
【００１６】
栓蓋４は、円板部２４と、その円板部２４に係着する凸曲面状の蓋部３４とからなる内部中空状を呈してなり、蓋部３４の側方から栓蓋４の中央側に向けて上向き傾斜状（例えば１５度）にレリースＳの他端側（下端側）を導入して保持し、その導入口３４１をレリースＳ直径よりも若干大径にしている。
【００１７】
前記レリースＳの栓蓋４内への保持部は、円板部２４から立ち上げ形成した立ち上げ部２４１の頂底と、その立ち上げ部２４１と相対する蓋部３４の内面に凹設したガイド溝３４２の底とでレリースＳを上向き傾斜状に抱持する抱持空間Ｐを構成し、その抱持空間Ｐの外端部である前記導入口３４１部分をレリースＳ径よりも若干大径にして、レリースＳとその導入口３４１縁との間にクリアランスを確保するようにしてある。
符号３４３は、前記ガイド溝３４２縁から垂設して前記立ち上げ部２４１の両側面に当接して立ち上げ部２４１を挟持する前後一対の位置決め片である。
【００１８】
また、前記抱持空間Ｐは、栓蓋４中央部の若干手前位置までの長さで確保され、その抱持空間Ｐをガイドにして、その先端からレリースＳを下向きに湾曲させ、その先端を、円板部２４において昇降体５の真上部分に水密状に連結させてある。
【００１９】
前記水密状の連結部は、円板部２４の丁度中央部において大径凹部２４２と小径凹部２４３とを上下２段にして同芯をもって凹設すると共に下段の小径凹部２４３底にインナーワイヤｓ２のみを昇降体５内に通す通し孔４５を開孔し、前記レリースＳにおけるアウターチューブｓ１先端を小径凹部２４３底に位置決めすると共に大径凹部２４２の底にアウターチューブｓ１に固定したワッシャーＷを介して配置したＯリングＯのその一部を上方に突出させた状態で同大径凹部２４２内に嵌合し、大径凹部２４２、小径凹部２４３を挟んで円板部２４に設けた一対のレール２４４に２又状の係止片２４５ａを有する係止体２４５を抜差し可能に係止して前記ＯリングＯを圧潰し、それによってアウターチューブｓ１の先端が円板部２４に水密状に連結されている。
【００２０】
符号２４６は、水抜き孔であり、前記円板部２４下面において昇降体５との間に突設したパッキン受け２４７で挟持されるパッキン２４８の挟持代を除く部分に臨んで開孔され、前記クリアランス等を介して進入する湯水を排水するようになっている。
【００２１】
インナーワイヤｓ２の他端（下端）は、前記通し孔４５に連通状に垂設したガイド筒２４８を通って、図示するように支軸１４の上端側に凹設した凹部１４３底に当接もしくは接近するように位置させてある。
【００２２】
また、前記支軸１４下端部と案内部３の底部との間には、支軸１４の下端部が係止される係止手段Ｍが構成されている。
【００２３】
この係止手段Ｍは、前記案内部３の底に形成した係止孔１３と、支軸１４の下端部に近傍に凹設した係止凹部１４４とで構成されており、その係止孔１３に係止凹部１４４が係止され、それによって支軸１４は上下移動不能になっている。
本実施の形態では、少なくとも支軸１４の下端部位を軸方向に２分するように切り割りして若干の弾性を持たせるようにしてある。
これは、メンテナンス時等に、栓蓋４、昇降体５、支軸１４からなる装置本体を抜き取れるようにするためである。
【００２４】
このように構成されている排水栓装置の作用を説明する。
図１、図２に示す状態は、閉栓状態である。この閉栓状態では、回転リング１７の上下の係止歯部１７１、１７１は、溝部３５の上端域に位置している。
この図１、図２に示す係止状態、即ち図５から押しボタン２６を押動操作すると、インナーワイヤｓ２が前進して支軸１４を押動するが、支軸１４下端部が前記係止手段Ｍで上下移動不能に係止されていることから行き場を失ったインナーワイヤｓ２は、昇降体５を上昇させることになる。詳細にはスプリング２７を圧縮しながら前記回転リング１７の下側の係合歯部１７１が溝部３５で案内されると共に固定歯１５２の鋸状歯部１５２ａに、同下側の係合歯部１７１が接触して、（図６（ａ））に示すようにその鋸状歯部１５２ａの斜面に沿って移動するまで昇降体５は上昇する（矢印が示す方向は、昇降体５の上下動及び回転リング１７回転方向を示し、以下の（ｂ）（ｃ）（ｄ）も同様である。）。そして、押しボタン２６の押動操作を停止すると、図６（ｂ）に示すように上記スプリング２７の付勢力を受けて下降する係止歯１５１の鋸状歯部１５１ａが回転リング１７における上側の係合歯部１７１に係止し、栓蓋４を排水口１１から上方に離間させて開口（開栓）する（図７）。
この開栓状態から再び閉栓状態にする時には、押しボタン２６を押動操作して、スプリング２７の付勢力に抗して昇降体５をいったん上昇させて固定歯１５２の鋸状歯部１５２ａに回転リング１７の下側の係合歯部１７１を接触させると共にその鋸状歯部１５２ａの斜面に沿ってその下側の係合歯部１７１を移動させ（図６（ｃ））、そして、押しボタン２６の押動操作を停止すると、スプリング２７の付勢力で下降する係止歯１５１の鋸状歯部１５１ａの斜面で回転リング１７の上側の係合歯部１７１が案内されながら同上側の係合歯部１７１が溝部３５に導かれて昇降体５を前記する図１、図２まで下降させ、閉口（閉栓）する（図６（ｄ））。
尚、操作部５と栓蓋４とを連絡するレリースＳは、槽部１の内面に沿って邪魔にならないように配線する。
【００２５】
また、レリースＳは、上向き傾斜状の導入保持で、槽部１に沿うように配線されるレリースＳの方向変換部Ｓ’を図７に示すように導入口３４１よりも下位に位置させて、その方向変換部Ｓ’で弾性力を、栓蓋４を排水口１１に密着する方向に押動させる押圧力として活用できることになる。
【００２６】
次ぎに、図８に示す第２の実施の形態について説明すると、この実施の実施の形態は、前記昇降体５内にスラストロック機構７を設けずに、操作部６内にスラストロック機構７を設けたものであり、他の構成は前記第１の実施の形態と同様であるため、他の構成に係る詳細な説明は省略する。
【００２７】
操作部６は、レリースガイド本体１６、そのレリースガイド本体１６に上下動可能に挿入されレリースＳの一端を下端に連結する操作軸３６、操作軸３６とレリースガイド本体１６との間に設けたスラストロック機構７からなる周知構造（特開平９−３２４４５１号公報、特開平１１−１０７３４２号公報等参考）である。
尚、このレリースガイド本体１６が両面テープや吸盤等の固定手段５６で槽部１内の所望位置に着脱可能に固定される点は前記する実施の形態と同様である。
【００２８】
スラストロック機構７は、レリースガイド本体１６内における操作軸３６の上端側の部分に設けた前記固定リング３７と、その下位において操作軸３６に同軸に回転可能に遊嵌合した前記回転リング４７と、レリースガイド本体１６の内面に設けられたガイド部５７とを備え、操作軸３６の中途部に周設した突部１６１の上面と回転リング４７との間に位置決めスプリング６７を介在すると共に、その突部１６１の下面とレリースガイド本体１６の底部との間にスプリング７７を介在している。
このスラストロック機構７は、スプリング７７の付勢力に抗して操作軸３６を押動する度に上下動経路の下降端側でロックとロック解除を行なうように構成されている。
【００２９】
固定リング３７は、その下部に鋸状歯部（図示せず）を有し、その側部に数個の突部（図示せず）を有した形態をなしている。回転リング４７は上部に鋸状歯部（図示せず）と合致する鋸状歯部（図示せず）を有し、その側部に数個の突部（図示せず）を有する今日周知の形態をなしており、ガイド部５７は、前記固定リング３７と回転リング４７の突部が入る案内溝（図示せず）と鋸状歯部（図示せず）とを交互に有した形態をなしている。
【００３０】
レリースＳの他端（下端）は、図示しないが、前記する第１、第２の実施の形態と同様に栓蓋４の側部から同栓蓋４内に導入保持し且つアウターチューブｓ１を栓蓋４内で下向き湾曲状に曲折させてそのアウターチューブｓ１先端（他端）を栓蓋４の底部分に水密状に連結し、インナーワイヤｓ２を前記支軸１４上端の凹部１４３底に当接もしくは接近状にしてある。
【００３１】
斯様な構成になっている第２実施の形態の排水栓装置の作用を説明すると、図８（ａ）は、スラストロック機構７はロック解除状態、即ち栓蓋４は開口（閉栓）状態にある。この状態から操作軸３６を押動すると、インナーワイヤｓ２が前進して支軸１４を押動するが、支軸１４下端部が前記係止手段Ｍで移動不能に係止されていることから行き場を失ったインナーワイヤｓ２は、栓蓋４を上端に有する昇降体５を上昇させることは前記する第１、第２の実施の形態と同様である。それによって回転リング４７が固定リング３７でガイド部５７下まで押し下げられて、回転リング４７の鋸状歯部が固定リング３７の鋸状歯部に当接して僅か回転し、押動を止めた時点でスプリング７７の付勢力を受けて回転リング４７の突部がガイド部５７の鋸状歯部に係合して下降端側にてロックし、排水口１１を開口（開栓）状態にする（図８（ｂ））。
そして、操作軸３６を押動すると回転リング４７の鋸状歯部が固定リング３７の鋸状歯部で僅かに回転され、押動を止めた時点で回転リング４７はその鋸状歯部がガイド部５７の鋸状歯部に当接して僅かに回転した後、その突部が案内溝に入ってロックが解除され、昇降体５と共に栓蓋４は自然落下して排水口を閉口（閉栓）する図８（ａ）。
【００３２】
次に図９に示す第３の実施の形態を説明すると、この実施の形態はスラストロック機構７を使用せずに、昇降体５と共に栓蓋４を上昇させて排水口１１を開口（開栓）し、更に同排水口１１を閉口（閉栓）する排水栓装置Ａである。
尚、レリースＳを栓蓋４の側部から同栓蓋４内に導入して保持し且つアウターチューブｓ１を栓蓋４内で下向き湾曲状に曲折させてアウターチューブｓ１先端（他端）を栓蓋４の底部分に連結し、インナーワイヤｓ２を支軸１４の支軸１４の上端側に凹設した凹部１４３底に当接もしくは接近するように位置させてある点は、前記する第１、第２実施の形態と同様である。
【００３３】
この実施の形態では、操作部６のレリースガイド本体１６の底から案内筒７６を内部に突設し、その案内筒７６に操作軸３６を上下動可能に圧接し、その操作軸３６にインナーワイヤｓ２の一端である上端を取付けて、押動することによって前記する第１、第２の実施の形態と同様に昇降体５と共に栓蓋４を上昇させて排水口１１を開口（開栓）した時の操作軸３６の下降位置を案内筒７６との圧接力で保持し、操作軸３６の引き上げ操作で前進しているインナーワイヤｓ２を元の状態に復帰させた時の同操作軸３６の上昇位置を案内筒７６との圧接力で保持して昇降体５と栓蓋４を自然落下させて、排水口１１を閉口（閉栓）するようになっている。
この実施の形態では、引き上げ操作を必要とすることから、金属材からなるコイル状のインナーワイヤｓ２よりも、単芯線や撚線からなるインナーワイヤを使用するの方が好適である。
【００３４】
【発明の効果】
本発明は以上のようにレリースを、側部から栓蓋内に導入し同栓蓋内で下向き湾曲状に曲折させてアウターチューブの先端を栓蓋の底部分に連結して、インナーワイヤを昇降体内に案内するように構成して、栓蓋内でもインナーワイヤをアウターチューブでガイドさせるようになっているから、インナーワイヤを、栓蓋内で導入孔の屈曲部で弾性的に下向き湾曲状に曲折させて栓蓋を貫通させた場合と比べて、押動操作時の摩擦抵抗を大幅に軽減でき、操作性が非常に良いものになる。
その上、押圧力に対して十分な耐久性と曲折部にも対応可能な可撓性とを有し、更に操作部の押動操作に大きな力を要することなくスムースに摺動するコイル状のインナーワイヤと、そのインナーワイヤと同程度の可撓性を有し、引張り力に対して所定の耐久性と共に耐熱性が高くて寸法保持性も良く、インナーワイヤの円滑な摺動を長期に亘って維持するフッ素樹脂製のアウターチューブとからなるレリースを使用して、そのレリースの性質を利用しているため、前記のようにアウターチューブを栓蓋内部にその側部から挿し通し下向き湾曲状に曲折させて栓蓋の底部分に連結している場合であっても、インナーワイヤの一定且つ円滑な摺動を安定的に維持し、操作部の押動操作も非常に軽い力で行なえ、より操作性が向上する。
しかも、レリースを、栓蓋の中央側に向けた上向き傾斜状をもって導入し、且つ外部に臨む導入口をレリース直径よりも若干大径にしていると、槽部に沿うように配線されるレリースの方向変換部（符号Ｓ’）をその導入口よりも下位に位置させて（図２参照）、その方向変換部（符号Ｓ’）に生じる弾性復元力を、栓蓋を排水口に密着する方向に押動させる押圧力として有効利用できるし、導入口のクリアランスがレリースの切損を未然に防止する遊び代として有効活用できる。
【図面の簡単な説明】
【図１】第１の実施の形態の閉栓状態を示す正面断面図。
【図２】閉栓状態を示す要部の拡大断面図。
【図３】栓蓋の分解斜視図で、一部切欠して示す。
【図４】昇降体と、その内部のスラストロック機構とを示す分解斜視図。
【図５】回転リングの係合歯部、係止歯、固定歯との関係を示す展開図。
【図６】回転リングの係合歯部、係止歯、固定歯との関係を示す展開図で、（ａ）は、操作部押動操作して回転リングの下側の係合歯部が固定歯の鋸状歯部の斜面に沿って移動している開栓途中の状態を示し、（ｂ）は、押動操作を停止して、回転リングの上側の係合歯部が係止歯の鋸状歯部に係止して開栓している状態を示し、（ｃ）は、更に押動操作して、回転リングの下側の係合歯部が係止歯の鋸状歯部の斜面で案内されている状態を示し、（ｄ）は、押動操作を停止し、回転リングの上側の係合歯部が係止歯の鋸状歯部の斜面で案内され、更に溝部に移動されて、排水口を閉栓させようとする状態を示す。
【図７】開栓状態を示す要部の拡大断面図。
【図８】第２の実施の形態の操作部を示す拡大断面図であり、（ａ）は、閉栓状態を（ｂ）は、開栓状態を示す。
【図９】第３の実施の形態の操作部を示す拡大断面図。
【図１０】従来の排水栓装置の正面断面図。
【符号の説明】
Ａ：排水栓装置                    １１：排水口
２：排水口取付部材                ３：案内部
４：栓蓋                                    ５：昇降体
１４：支軸                                Ｓ：レリース
ｓ２：インナーワイヤ            ｓ１：アウターチューブ
１：槽部                            ３４１：導入口
【図１】
0003629393.tif 000002
【図２】
0003629393.tif 000003
【図３】
0003629393.tif 000004
【図４】
0003629393.tif 000005
【図５】
0003629393.tif 000006
【図６】
0003629393.tif 000007
【図７】
0003629393.tif 000008
【図８】
0003629393.tif 000009
【図９】
0003629393.tif 000010
【図１０】
0003629393.tif 000011